(57)【要約】      （修正有）【課題】計器と衝撃減衰機構とを備えた改良された血圧測定装置を提供する。【解決手段】ねじ結合部２４、２６を介して連結された計器１０と衝撃減衰機構１２、１４、４０とを備えた血圧測定装置。これにより計器は衝撃等による破損から確実に保護され、しかも衝撃の作用する方向にかかわりなく保護されている。【選択図】図２
0003183910.tif 000002
【実用新案登録請求の範囲】
【請求項１】
計器（１０）と衝撃減衰機構（１２、１４、４０）とを備えた血圧測定装置において、前記計器を前記衝撃減衰機構と連結するためのねじ結合部（２４、２６）であって、圧縮荷重だけでなく引張荷重にも耐えるねじ結合部（２４、２６）を備えたことを特徴とする血圧測定装置。
【請求項２】
前記計器（１０）および／または前記衝撃減衰機構（１２、１４、４０）が１つの穴を有し、前記穴のなかに前記ねじ結合部（２４、２６）の雌ねじ（２６）が配置されていることを特徴とする、請求項１記載の血圧測定装置。
【請求項３】
前記衝撃減衰機構（１２、１４、４０）および／または前記計器（１０）が１つの突出部（２２）を有し、前記突出部に前記ねじ結合部（２４、２６）の雄ねじ（２４）が配置されていることを特徴とする、請求項１または２記載の血圧測定装置。
【請求項４】
前記ねじ結合部（２４、２６）の雌ねじおよび／または雄ねじが前記計器（１０）または前記衝撃減衰機構（１２、１４、４０）と一体に形成されていることを特徴とする、請求項１〜３のいずれか１項記載の血圧測定装置。
【請求項５】
前記ねじ結合部（２４、２６）の雌ねじ（２６）がねじ付インサート（１８）に形成されていることを特徴とする、請求項１〜４のいずれか１項記載の血圧測定装置。
【請求項６】
ハウジング（１６）を有し、前記ねじ付インサート（１８）が前記衝撃減衰機構（１２、１４、４０）の突出部（３４）を前記ハウジングのアンダカット（３２）に押し込むことを特徴とする、請求項５記載の血圧測定装置。
【請求項７】
ハウジング（１６）が設けられており、前記衝撃減衰機構（１２、１４、４０）が前記ハウジングに固着されていることを特徴とする、請求項１〜６のいずれか１項記載の血圧測定装置。
【請求項８】
前記ねじ結合部の雌ねじ（２６）が通路（４８）の内壁に取付けられており、前記通路を介して前記計器（１０）が外界と結合されていることを特徴とする、請求項１〜７のいずれか１項記載の血圧測定装置。
【請求項９】
前記衝撃減衰機構を基準に前記計器（１０）の回動を防止するための機構を特徴とする、請求項１〜８のいずれか１項記載の血圧測定装置。
【請求項１０】
前記回動防止機構が異形部を有することを特徴とする、請求項９記載の血圧測定装置。
【請求項１１】
計器（１０）と衝撃減衰機構（１２、１４、４０）とを有する血圧測定装置において、前記衝撃減衰機構が、前記計器の底（２８）の側にある計器エッジ（１４０）の囲い（１２）を有し、前記衝撃減衰機構（１２、１４、４０）の１つの部品（４０）が、前記計器（１０）の、前記底（２８）とは反対の側にあり、間座（３８）が、前記計器（１０）と前記衝撃減衰機構（１２、１４、４０）の、前記底（２８）とは反対の計器側にある部品との間に設けられていることを特徴とする、血圧測定装置。
【請求項１２】
前記囲い（１２）が前記計器（１０）を前記エッジ（１４０）に沿って取り囲んでいることを特徴とする、請求項１１記載の血圧測定装置。
【請求項１３】
前記囲い（１２）の導入斜面（２０）を特徴とする、請求項１１または１２記載の血圧測定装置。
【請求項１４】
前記囲い（１２）を基準に前記計器（１０）の回動を防止するための機構を特徴とする、請求項１１〜１３のいずれか１項記載の血圧測定装置。
【請求項１５】
前記回動防止機構が異形部を有する、請求項１４記載の血圧測定装置。
【請求項１６】
ハウジング（１６）が設けられており、前記囲い（１２）が前記ハウジングに固着されていることを特徴とする、請求項１１〜１５のいずれか１項記載の血圧測定装置。
【請求項１７】
前記計器（１０）を基準に前記間座（３８）の回動を防止するための機構（５１）を特徴とする、請求項１１〜１６のいずれか１項記載の血圧測定装置。
【請求項１８】
前記間座（３８）を基準に読取目盛（３６）の回動を防止するための機構（５０）を特徴とする、請求項１１〜１７のいずれか１項記載の血圧測定装置。
【請求項１９】
前記衝撃減衰機構（１２、１４、４０）の少なくとも１つの部品がショアＡ４０°〜８０°の硬さを有することを特徴とする、請求項１〜１８のいずれか１項記載の血圧測定装置。
【請求項２０】
前記衝撃減衰機構（１２、１４、４０）の少なくとも１つの部品が
‐合成ゴム、好ましくはニトリルブタジエンゴム（ＮＢＲ）、
‐ターポリマーエラストマー（ゴム）、好ましくはエチレンプロピレンジエンゴム（ＥＰＤＭ）、
‐シリコーン
一つまたは複数の上記素材を有することを特徴とする、請求項１〜１９のいずれか１項記載の血圧測定装置。
【請求項２１】
ねじ結合部（２４、２６）が前記計器（１０）を前記衝撃減衰機構（１２、１４、４０）と連結することを特徴とする、請求項１１〜２０のいずれか１項記載の血圧測定装置。
【請求項２２】
前記計器（１０）および／または前記衝撃減衰機構（１２、１４、４０）が１つの穴を有し、前記穴のなかに前記ねじ結合部（２４、２６）の雌ねじ（２６）が配置されていることを特徴とする、請求項２１記載の血圧測定装置。
【請求項２３】
前記衝撃減衰機構（１２、１４、４０）および／または前記計器（１０）が１つの突出部（２２）を有し、前記突出部に前記ねじ結合部（２４、２６）の雄ねじ（２４）が配置されていることを特徴とする、請求項２１または２２記載の血圧測定装置。
【請求項２４】
前記ねじ結合部（２４、２６）の雌ねじおよび／または雄ねじが前記計器（１０）または前記衝撃減衰機構（１２、１４、４０）と一体に形成されていることを特徴とする、請求項２１〜２３のいずれか１項記載の血圧測定装置。
【請求項２５】
前記ねじ結合部（２４、２６）の雌ねじ（２６）がねじ付インサート（１８）に形成されていることを特徴とする、請求項２１〜２４のいずれか１項記載の血圧測定装置。
【請求項２６】
ハウジング（１６）を有し、前記ねじ付インサート（１８）が前記衝撃減衰機構（１２、１４、４０）の突出部（３４）を前記ハウジングのアンダカット（３２）に押し込むことを特徴とする、請求項２５記載の血圧測定装置。
【請求項２７】
ハウジング（１６）が設けられており、前記衝撃減衰機構（１２、１４、４０）が前記ハウジングに固着されていることを特徴とする、請求項２１〜２６のいずれか１項記載の血圧測定装置。
【請求項２８】
前記ねじ結合部の雌ねじ（２６）が通路（４８）の内壁に取付けられており、前記通路を介して前記計器（１０）が外界と結合されていることを特徴とする、請求項２１〜２７のいずれか１項記載の血圧測定装置。
【請求項２９】
前記衝撃減衰機構を基準に前記計器（１０）の回動を防止するための機構を特徴とする、請求項２１〜２８のいずれか１項記載の血圧測定装置。
【請求項３０】
前記回動防止機構が異形部を有することを特徴とする、請求項２９記載の血圧測定装置。
【請求項３１】
請求項２１〜３０のいずれか１項記載の血圧測定装置において、前記エッジ（１４０）が前記計器（１０）のねじ結合部（２４、２６）の側にあり、前記衝撃減衰機構（１２、１４、４０）の１つの部品（４０）が、前記計器（１０）の、前記ねじ結合部（２４、２６）とは反対の側にあり、前記間座（３８）が、前記計器（１０）と前記衝撃減衰機構（１２、１４、４０）の、前記ねじ結合部（２４、２６）とは反対の計器側にある部品との間に設けられていることを特徴とする、血圧測定装置。
【考案の詳細な説明】
【技術分野】
【０００１】
本考案は、計器と衝撃減衰機構とを備えた圧力測定装置、特に血圧測定装置に関する。
【背景技術】
【０００２】
上記種類の圧力測定装置は例えば特許文献１により公知である。その際、リテーナと称される保持部３２０によって衝撃減衰機構が形成されており、この保持部に計器が埋め込まれている。計器を保持部から外に動かす力が計器に作用する限り、保持部自体は衝撃減衰効果を発揮しない。
【０００３】
さらに、圧力測定装置において匹敵する衝撃減衰機構が特許文献２により公知である。
【先行技術文献】
【特許文献】
【０００４】
【特許文献１】国際公開第２００６／０９９５７８号パンフレット
【特許文献２】米国特許出願公開第２００４／００８３８１６号明細書
【考案の概要】
【考案が解決しようとする課題】
【０００５】
本考案の課題は、特許文献１により公知の圧力測定装置を改良し、計器が衝撃等による破損に備えて一層良好に保護されているようにすることである。
【課題を解決するための手段】
【０００６】
本考案によればこの課題は、前記計器を前記衝撃減衰機構と連結するためのねじ結合部によって解決される。
【考案の効果】
【０００７】
本考案の根底にある認識は、互いに結合される両方の部品の信頼できる連結をねじ結合部が保証し、しかもあらゆる空間方向で保証することである。このねじ結合部は例えば圧縮荷重だけでなく引張荷重にも耐える。これにより計器は衝撃等による破損から確実に保護され、しかも衝撃の作用する方向にかかわりなく保護されている。
【図面の簡単な説明】
【０００８】
【図１】本考案の好ましい一実施形態による血圧測定装置の分解断面図である。
【図２】本考案の別の実施例による血圧測定装置の分解断面図である。
【図３】本考案のさらに別の実施例による血圧測定装置の分解断面図である。
【図４】本考案のさらに別の実施例による血圧測定装置の断面図である。
【考案を実施するための形態】
【０００９】
本考案により好ましくは、前記計器および／または前記衝撃減衰機構が１つの穴を有し、前記穴のなかに前記ねじ結合部の雌ねじが配置されている。
【００１０】
換言するなら、当該ねじ結合部の雌ねじは計器に、衝撃減衰機構に、またはそれぞれ両方に取付けておくことができる。
【００１１】
同様に本考案により好ましくは、前記衝撃減衰機構および／または前記計器が１つの突出部を有し、前記突出部に前記ねじ結合部の雄ねじが配置されている。
【００１２】
つまりさらに好ましくは、当該突出部は計器に、衝撃減衰機構に、またはそれぞれ両方に配置しておくことができる。
【００１３】
本考案により好ましくは、前記ねじ結合部の雌ねじおよび／または雄ねじが前記計器または前記衝撃減衰機構と一体に形成されている。
【００１４】
このような構成は部品点数が少ないという利点を有する。
【００１５】
しかし本考案によれば付加的にまたは選択的に、前記ねじ結合部の雌ねじをねじ付インサートに形成しておくこともできる。
【００１６】
このようなねじ付インサートは、本考案により好ましくは、計器または衝撃減衰機構の、ねじ結合部用雌ねじが内部に設けられる穴のなかに配置されている。
【００１７】
本考案によりさらに好ましくは、圧力測定装置がハウジングを有し、前記ねじ付インサートが前記衝撃減衰機構の突出部を前記ハウジングのアンダカットに押し込む。
【００１８】
換言するならこの構成においてねじ付インサートはねじ結合部の部品として利用されるだけでなく、衝撃減衰機構をハウジングで保持するのにも利用される。
【００１９】
本考案によりさらに好ましくは、ハウジングが前記圧力測定装置に設けられており、前記衝撃減衰機構が前記ハウジングに固着されている。
【００２０】
この固着は任意の仕方で、特に形状接合、摩擦接合または固着要素によって実現しておくことができる。
【００２１】
本考案の特別好ましい１実施形態によれば、前記ねじ結合部の雌ねじが通路の内壁に取付けられており、前記通路を介して前記計器が外界と結合されている。こうして通路は２つの目的のために利用され、つまり一方で計器を外界と結合し、他方で雌ねじを受容するために利用される。
【００２２】
計器を外界と結合するために、例えば、その圧力を測定されるべき気体（空気）が通路を通して計器に供給されるようにすることができる。あるいは、支配的圧力に依存して回される波形を通路が受容することによって、通路は機械的測定変量を伝達するのに利用することもできる。最後に、通路は線路、例えば測定変量を伝達するための電気線路を受容することもできる。
【００２３】
好ましくは、衝撃減衰機構を基準に計器の回動を防止するための機構が設けられている。
【００２４】
このような回動防止機構は（読み取られる）測定結果の精度に有益である。
【００２５】
本考案により好ましくは、前記回動防止機構が異形部を有する。換言するなら、この回動防止機構は摩擦接合および／または形状接合の原理に基づいている。異形部はリブ、波形等とすることができる。
【００２６】
上記ねじ結合部の代わりに、またはそれを補足して、本考案では衝撃等による破損から計器を一層良好に保護するとの課題を解決するために、前記衝撃減衰機構は計器の底の側またはねじ結合部の側にある計器エッジの囲いを有する。
【００２７】
ねじ結合部が設けられている限り、計器の底の側はねじ結合部の側と一致している。
【００２８】
前記囲いは、好ましくは前記計器を前記エッジに沿って取り囲んでいる。
【００２９】
換言するなら、囲いは計器を周方向で完全に包囲している。これにより囲いは衝撃減衰の他に計器の密封にも利用することができる。
【００３０】
さらに好ましくは、前記囲いに導入斜面が設けられている。
【００３１】
この構成は、囲い内への計器の嵌挿を容易とする。
【００３２】
本考案によりやはり好ましくは、測定精度／読取精度を高めるために、前記囲いを基準に前記計器の回動を防止するための機構を設けておくことができる。
【００３３】
前記回動防止機構はやはり異形部を有することができ、この異形部はリブ、波形等とすることができる。
【００３４】
囲いは基本的に任意に形成しておくことができる。特に、囲いは衝撃減衰機構のうち螺着に役立つ部品と一体に形成しておくことができる。本考案により好ましくは、囲いが圧力測定装置のハウジングに固着されている。
【００３５】
このような固着はやはり任意に、特に摩擦接合、形状接合または固着要素によって行うことができる。
【００３６】
本考案により好ましくは、前記衝撃減衰機構の（他の）１つの部品は前記底または前記ねじ結合部とは反対の計器側にある。
【００３７】
ねじ結合部は、上で詳しく述べたように、あらゆる空間方向からの衝撃に対して保護を既に提供するのではあるが、このような他の保護措置を講じるのが有利であり、または必要でさえあることがある。
【００３８】
衝撃減衰機構の（他の）１つの部品はやはり個別の部材または個別の構造群によって形成しておくことができ、あるいは囲いと一体に、および／または衝撃減衰機構の、ねじ結合部に付属する部品と一体に形成しておくこともできる。
【００３９】
好ましくはさらに、前記計器と前記衝撃減衰機構の、前記底または前記ねじ結合部とは反対の計器側にある部品との間に間座が設けられている。
【００４０】
このような間座は衝撃減衰機構の個々の部品の間に、計器を受容するための空間を提供する。この空間は例えば、衝撃減衰機構の１部品または１構造群が圧縮荷重を受ける場合も維持される。このような圧縮荷重（予荷重）は計器の密封性を高めるうえで有意義なことがある。
【００４１】
やはり測定精度／読取精度を高めるために本考案によれば、前記計器を基準に前記間座の回動を防止するための機構が設けられている。
【００４２】
同じ理由から、本考案によればさらに好ましくは、前記間座を基準に読取目盛の回動を防止するための機構が設けられている。
【００４３】
この回動防止機構によって、計器を基準に読取目盛の回動も阻止されており、測定精度と読取精度は維持される。
【００４４】
本考案により好ましくは前記衝撃減衰機構の少なくとも１つの部品がショアＡ４０°〜８０°の硬さを有する。
【００４５】
最後に、前記衝撃減衰機構の少なくとも１つの部品は下記の一つまたは複数の素材を有する：
‐合成ゴム、好ましくはニトリルブタジエンゴム（ＮＢＲ）、
‐ターポリマーエラストマー（ゴム）、好ましくはエチレンプロピレンジエンゴム（ＥＰＤＭ）、
‐シリコーン。
【００４６】
本考案により構成した圧力測定装置において寸法も硬さも好適に設計すると１.５ｍまでの高さからの自由落下に対する耐衝撃性が達成される。
【実施例】
【００４７】
好ましい以下の実施例に基づいて、本考案は、添付図面を参考にして、他の細部と共に詳しく説明される。
【００４８】
図１の血圧測定装置に付属するのは計器１０、計器エッジ１４０用の囲い１２、ダンパ１４、ハウジング１６およびねじ付インサート１８である。囲い１２は囲い１２内への計器１０の導入を容易とするために導入斜面２０を有する。雄ねじ２４を備えた突出部２２が計器１０に取付けられている。ねじ付インサート１８は対応する雌ねじ２６を有する。アンダカット３２を備えた突出部３０がハウジング１６の底２８に取付けられている。組立状態のときねじ付インサート１８がビード３４をアンダカット３２に押し込み、ダンパ１４は形状接合式にハウジング１６で保持されている。
【００４９】
図２の血圧測定装置は実質的に図１のものと同様に構成されており、つまり特にねじ付インサート１８を備えたダンパ１４と囲い１２とを有する。しかし付加的に、目盛円板３６と間座３８と計器１０とを介してダンパ１４で支えられるダンパ４０が設けられている。このダンパ４０は、固定リング４４をハウジング１６に螺着することによって、透明プラスチック円板４２を介装して固定リング４４によって図２で押し下げられる。このため固定リング４４に（図示しない）雌ねじが設けられている一方、ハウジング１６は（図示しない）雄ねじを有する。
【００５０】
従ってダンパ１４、４０および囲い１２に作用する予荷重は血圧測定装置の密封に寄与する。
【００５１】
図３の実施例は図２の実施例に実質一致しているが、ねじ付インサート１８を備えたダンパ１４を有していない。従って突出部２２も計器に設けられていない。こうして図３の実施例ではダンパ４０と囲い１２のみが衝撃防止と密封とに役立つ。
【００５２】
図４が示す実施例では囲い１２がダンパ１４と一体に実施されている。認めることのできる通路４６は、その圧力を測定されねばならない空気を計器１０に供給するのに役立つ。通路４６の延長部を形成する通路４８がねじ付インサート１８の内部と通じている。そのことが図面に示してはないが、計器は計器を通路４８もしくは４６と結合する他の通路を有する。
【００５３】
図２と図３では目盛円板３６に回動防止機構５０が突出部の態様で設けられており、この突出部が間座３８の（図示しない）対応する溝内に係合する。符号５１は間座３８に配置される回動防止機構である。
【００５４】
さらになお他の回動防止機構が設けられているが、それらは図示されていない。囲い１２とダンパ１４とダンパ４０とで表面がそれぞれ波形段面を備えており、こうしてこれらの表面にそれぞれ当接する部材（ハウジング１６、計器１０、間座３８および／またはねじ付インサート１８）は回動を防止されている。
【００５５】
以上の明細書、実用新案登録請求の範囲および図面に開示された本考案の特徴は個々に、または任意に組合せても、さまざまな実施形態で本考案を実現するうえで本質的たり得る。
【符号の説明】
【００５６】
１０  ……  計器
１２  ……  囲い
１４、４０  ……  ダンパ
１６  ……  ハウジング
１８  ……  インサート
１４０  ……  計器エッジ
２０  ……  導入斜面
２２、３０  ……  突出部
２４  ……  雄ねじ
２６  ……  雌ねじ
２８  ……  底
３２  ……  アンダカット
３４  ……  ビード
３６  ……  目盛円板
３８  ……  間座
４２  ……  円板
４４  ……  固定リング
４６、４８  ……  通路
５０、５１  ……  回動防止機構
【図１】
0003183910.tif 000003
【図２】
0003183910.tif 000004
【図３】
0003183910.tif 000005
【図４】
0003183910.tif 000006